(57)【要約】【課題】ループタイとしての斬新なデザインと使用感が得られるようにする。【解決手段】ループタイを、平角形または楕円形の断面を持つ織紐から構成する。【選択図】図１
2006112021.tif 000002
【特許請求の範囲】
【請求項１】
平角形または楕円形の断面を持つ織紐からなることを特徴とするループタイ。
【請求項２】
織紐の中央部にループを形成するように該織紐に対し引き留め部材が摺動操作可能に設けられ、該引き留め部材が平角形または楕円形の断面を持つ織紐または皮革の無端状体からなることを特徴とする請求項１に記載のループタイ。
【請求項３】
前記織紐の中央部に、一定の大きさを超える引っ張り力を受けると分断する分断可能部を設けたことを特徴とする請求項１に記載のループタイ。
【発明の詳細な説明】
【技術分野】
【０００１】  本発明は、織紐の中央部にループを形成するように、該織紐に引き留め部材が摩擦摺動操作可能に取り付けられたループタイに関する。
【背景技術】
【０００２】  従来から、オープンシャツの首廻りに紐のループ部を周回させて装着するループタイが用いられている。このループタイは、天然繊維や合成繊維の紐の中央部に引き留め部材を摺動操作可能に取り付けたものからなり、例えば、図６に示すようにして用いられる。【０００３】  図６において、ループタイＴのうち、まず、引き留め部材１２によって紐１１の中央部に作られたループ部１３を、男性が着ているシャツ１４の首廻りに周回させるように頭から被る。次に、周回されたループ部１３の径を、引き留め部材１２を首廻り側に紐１１に沿って摺動させて径を絞る。
これにより、このループタイＴをシャツの首廻りに容易に装着することができる。また、このように首廻りに装着されたループタイＴは、紐１１の両端に取り付けられたおもり１５により下方に真っ直に垂下し、２本の紐１１が胸元付近にスッキリしたデザイン効果を付与する。【０００４】  また、一般に、ループタイＴの紐１１は断面が円形状をなし、引き留め部材１２が耐久性を持つ金属製の加工部品として、あるいは合成樹脂製の成形品として作られている（例えば、特許文献１参照）
【特許文献１】特開平１０ー１１０３１１号公報
【発明の開示】
【発明が解決しようとする課題】
【０００５】  しかしながら、従来のループタイにあっては、紐１１の断面形状が円形で比較的細いため、前記のように首廻りに装着した紐１１が胸元付近でシンプルなデザインを呈するものの、むしろ殺風景かつ流行感覚的に多少時代遅れしたものとなっている。また、引き留め部材１２が金属製や合成樹脂製であるため構成が複雑でコスト高になるという問題があった。また、引き留め部材１２の紐１１に対する摩擦摺動により、紐１１自体の摩耗を招き、結果として引き留め部材１２が自重で紐１１に沿って摺動落下し、引き留め機能を果し得なくなるという不都合があった【０００６】  本発明はこのような従来の問題を解決するものであり、紐との摩擦摺動を繰り返しても、紐との間に所定の摺動抵抗を確保できるとともに、飾り具を引き留め部材に装着しても引き留め部材が紐に沿って落下するのを防止でき、紐自体についてもユーザが希望するデザインとすることにより、流行感覚およびデザイン性が高いループタイを提供することを目的とする。
【課題を解決するための手段】
【０００７】  前記目的達成のために、請求項１の発明にかかるループタイは、平角形または楕円形の断面を持つ織紐からなることを特徴とする。
これにより、幅が広い織紐がシャツの胸元を装飾するため、デザイン上ネクタイに近づけることができ、流行感覚や趣味性の向上に寄与するものとなる。【０００８】  また、請求項２の発明にかかるループタイは、織紐の中央部にループを形成するように該織紐に対し引き留め部材が摺動操作可能に設けられ、該引き留め部材が平角形または楕円形の断面を持つ織紐または皮革の無端状体からなることを特徴とする。【０００９】  これにより、織紐に対し、同様の織紐からなる引き留め部材が所定の摩擦抵抗をもって摺動可能に保持され、その摩擦抵抗および摺動性の両方が長期に亘って適切に維持される。また、引き留め部材自体が軽量であり、この飾り具を装着した場合にも前記摩擦抵抗を受けて、引き留め部材が織紐に沿って落下することはない。従って、ループタイが首廻りで自然に緩んでしまうのを未然に回避することができる。【００１０】  また、請求項３の発明にかかるループタイは、前記織紐の中央部に、一定の大きさを超える引っ張り力を受けると分断する分断可能部を設けたことを特徴とする。【００１１】  これにより織紐に一定の大きさを越える引っ張りが作用したとき、この織紐を直ちに分断させることにより、織紐が首廻りを締め付ける危険を未然に回避することができる。
【発明の効果】
【００１２】  本発明によれば、織紐のループに対し、織紐または皮革の引き留め部材が所定の摩擦抵抗にて摺動可能に保持されるため、適切な摩擦および摺動が長期に亘って適切に維持される。また、使用中に引き留め部材自体が移動してループが緩んだり、ループが引っ張られたとき、首が締め付けられる危険を回避することができる。また、軽量であるため自重で織紐に沿って落下することはなく、従って、ループタイが首廻りで自然に緩んで回転するのを未然に回避することができる。
【発明を実施するための最良の形態】
【００１３】  以下に、本発明の実施の一形態を図について説明する。
図１は、本発明にかかるループタイＴの正面図である。同図において、２１はループタイＴの本体をなす織紐であり、この織紐２１には、中央部にループ２２を形成するように、引き留め部材２３が摺動可能に挿通されている。また、織紐２１の両端には、従来同様の機能を持つおもり２４が取り付けられている。【００１４】  次に、ループタイＴの構成要素ごとに詳細な説明を行う。まず、織紐２１は、図２の断面図に示すように、厚みＤに対し幅Ｗが大きく、例えばＷ≧２Ｄ、好ましくは例えばＷ＝４Ｄとされ、天然繊維や合成繊維を編み込んだ丈夫な構造に仕上げられている。なお、繊維の太さや強さは任意に選定することができる。【００１５】  このように、織紐２１に十分な大きさの幅を持たせることで、これをループタイとして使用した場合に、これまでの細い丸紐タイプのものに比べて、胸元付近におけるループタイの存在感が増し、外見的な重み感を増すことができる。一方、使用者本人にとっても装着感を良好なものにすることができる。【００１６】  また、引き留め部材２３は、織紐２１と同一または異なる天然繊維や合成繊維の織紐を、図３に示すように無端状に形成したものからなる。この引き留め部材２３は、前記の様な幅広の織紐２１を２本分前後に重なるように並べて収納できる形状、サイズとされている。この場合において、前後に重ねて並べた２本の織紐２１が、枠内において一定の摩擦抵抗を持ちながら摺動操作可能な形状、サイズとされている。これにより、引き留め部材２３に飾り具を装着することによっても、織紐２１に沿って落下移動することはなく、織紐２１に装着された位置に安定的にとどまる。従って、ループ２２がシャツの首廻りから位置ずれしたり、首の廻りを回転したりすることはない。【００１７】  このように、織紐２１と引き留め部材２３とが繊維どうしの摩擦接合となり適度な位置保持特性と摺動（滑動）操作性を備えることとなる。なお、引き留め具２３としての皮革や柔軟な合成皮革などを用いることも可能である。【００１８】  また、引き留め部材２３に、図４に示すような仕切り部分２３ａを設けることにより、隣り合う織紐２１どうしが互いに摩擦接触するのを防止できるとともに、隣り合う織紐２１の一方を動かすと他方が動くのを避けることができる。本発明では、引き留め部材２３の形状、構造は特に限定しないが、織紐２１と同様の織紐や皮革などからなる引き留め部材２３であることが望ましい。これにより、これら相互間で前記のような適度な摩擦抵抗と摺動操作性が得られる。【００１９】  さらに、引き留め部材２３には、ペンダントの安全ピンを挿し通すなどして、取り付けることができる。また、引き留め部材２３に対し、例えば花をデザインした、図５に示すようなペンダント２４に一体のフック部材２５を着脱自在に係止させることにより、引き留め部材２３上にファッション性に富むデザインを具現することができる。このほか、このようなペンダント２４を含む種々の身装品（飾り具）や宝石を引き留め部材２３に着脱可能にする構造として、周知のあらゆる方法を採用することができる。【００２０】  おもり２４は織紐２１の両端部に挿通されるなどして、所定位置にかしめ止め等されている。このおもり２４は���例えば金属材料の筒状体よりなり、ループタイＴに取り付けられることにより、織紐２１を下方に真っ直に垂下させるように機能する。【００２１】  このようなループタイＴでは、これの使用に当って、図１に示すように予め織紐２１が通された引き留め部材２３をこの織紐２１に沿って摺動させ、この織紐２１の中央部に所定サイズのループ部２２を形成する。このループ部２２のサイズは、ループタイＴの、使用者の頭の大きさなどに合わせて調節する。次に、このループ部２２を頭から被り、図６に示すように、使用者が着ているシャツ１４の襟の内側、つまり首廻りに周回させる。続いて引き留め部材２３を織紐２１に沿って摺動操作し、ループ部２２の径を絞る。これにより、ループタイＴを首廻りにしっかりと装着することができる。【００２２】  前記のように、織紐２１および引き留め部材２３は共に織紐を素材とし、互いに適当な摩擦抵抗を以って柔軟に接触しているため、相互が摺動することによっても、摩擦が少なく、摩耗が生じても摩擦抵抗にて相互が比較的に密に接触する。このため、引き留め部材２３に、ペンダントなどの比較的重い装飾品が取り付けられても、この装飾品の重量に応じて布の引き留め部材２３は僅か変形し、織紐２１に対する前記摩擦抵抗が増すこととなる。従って、引き留め部材２３が織紐２１上を滑り落ちることはない。【００２３】  一方、引き留め部材２３は織紐２１に対し摩擦保持されているが、飾り具が取り付けられない場合は、その摩擦抵抗は自身の自重を支える程度の大きさであるため、使用者はこれを手で掴んで簡単に織紐２１上に滑らせて、移動させることができる。【００２４】  また、前記織紐２１は既述のように平角形であり、これまでの丸紐状のループタイに比べて、存在感があるデザインを胸元に表現できる。特に、幅サイズが大きいものを複数種類用意すれば、さらに趣味性、意匠を向上することができる。また、織紐２１の色や長さを変えることにより、冠婚葬祭などや遊びなどの各ケースに適合するものを選んで、利用することができる。【００２５】  さらに、引き留め部材２３に対し飾り具を着脱可能にすることで、使用の場面に応じたループタイのデザインを創生することができ、使用者にとっても気持ちの上で良好な装着感を得ることができる。なお、前記においては、幅広の織紐２１について述べたが、布製の引き留め部材２３に丸紐を通した場合にも、前記と略同様の摩擦抵抗を持たせ、適切な摩擦摺動を可能とすることができる。【００２６】  また、本発明では、前記織紐２１の中央部に、一定の大きさを超える引っ張り力を受けると分断する分断可能部を設けてある。この分断構造は、熱収縮チューブに織紐２１の両端を差し込み、熱収縮チューブを熱収縮させて前記両端を接続したり、織紐２１の中央部、つまり襟で隠れる部位を引っ張り力に弱い素材て形成したり、予め分離した部分を糸で緩く縫い合わせたり、着脱自在の嵌合構造を採用したりしても良い。こうすることで、他人が織紐２１を強く引っ張った場合や、引き留め部材２３を首廻り方向に必要以上に締め上げた際に、首が締め付けられて窒息するなどの危険を、未然に回避することができる。【００２７】  このように、本発明のループタイは、織紐２１��中央部にループを形成するように、該織紐２１に対し引き留め部材２３を摺動操作可能に設けたループタイであって、前記引き留め部材２３が織紐２１に対して所定の摺動抵抗を持つため、引き留め部材２３が所定の摩擦抵抗を以って織紐２１に対し摺動可能に保持され、その摩擦抵抗および摺動性の両方が長期に亘って適切に維持される。また、引き留め部材２３に飾り具を装着した場合にも、前記摩擦抵抗により、引き留め部材２３が織紐２１に沿って自由落下することはない。従って、ループタイが首廻りで自然に緩むのを未然に回避することができる。特に、本発明は、織紐２１を平角形または楕円形の断面を持つものとしたので、これまでにない斬新なデザインと使用感が得られるという効果を有する。
【図面の簡単な説明】
【００２８】
【図１】  本発明の実施の一形態によるループタイを示す正面図である。
【図２】  図１に示すループタイの織紐形状を示す断面図である。
【図３】  図１における引き留め部材と織紐との摺接構造を示す断面図である。
【図４】  図１における引き留め部材と織紐との他の摺接構造を示す断面図である。
【図５】  本発明における引き留め部材に対する飾り具の装着方法を示す説明図である。
【図６】  従来の一般的なループタイの使用例を示す説明図である。
【符号の説明】
【００２９】２１  織紐
２２  ループ部
２３  引き留め部材
２４  おもり
【図１】
2006112021.tif 000003
【図２】
2006112021.tif 000004
【図３】
2006112021.tif 000005
【図４】
2006112021.tif 000006
【図５】
2006112021.tif 000007
【図６】
2006112021.tif 000008